(57)【要約】【課題】画像処理装置が送信ジョブを実行した場合に、ユーザによる必要に応じて、送信ジョブの設定をコール機能用の設定履歴として保存するための技術を提供する。【解決手段】画像処理装置（ＭＦＰ）は、モバイルデバイスから受信した送信ジョブを実行すると（Ｓ１０１〜Ｓ１０３）、当該送信ジョブの設定を、過去に実行したジョブの設定を再利用してジョブを実行するコール機能のための設定履歴として保存するか否かを、ユーザによる指示に応じて決定する（Ｓ１０５，Ｓ１０６）。更に、ＭＦＰは、コール機能用の設定履歴として保存しないと決定した送信ジョブの設定について、設定履歴として保存することを禁止する（Ｓ１０４，Ｓ１０７）。【選択図】図３
2016167764.tif 000002
【特許請求の範囲】
【請求項１】
端末装置と通信可能な画像処理装置であって、
端末装置からジョブを受信して、受信した当該ジョブを実行する実行手段と、
前記実行手段によって実行されたジョブの設定を、過去に実行したジョブの設定を再利用してジョブを実行するための設定履歴として保存する保存手段と、
宛先の設定を含み、設定された前記宛先にデータを送信するための送信ジョブが、前記実行手段によって実行されると、当該送信ジョブの設定を前記設定履歴として保存するか否かを、ユーザによる指示に応じて決定する決定手段と、
前記決定手段によって前記設定履歴として保存しないと決定された送信ジョブの設定について、前記保存手段による保存を禁止する禁止手段と、
を備えることを特徴とする画像処理装置。
【請求項２】
前記送信ジョブが前記実行手段によって実行されると、前記送信ジョブに設定されている前記宛先を前記画像処理装置が保持するアドレス帳に登録するか否かについての指示を、ユーザから受け付ける受付手段を更に備え、
前記決定手段は、前記宛先を前記アドレス帳に登録しないことが指示された場合、前記送信ジョブの設定を前記設定履歴として保存しないと決定し、前記宛先を前記アドレス帳に登録することが指示された場合、前記送信ジョブの設定を前記設定履歴として保存すると決定する、
ことを特徴とする請求項１に記載の画像処理装置。
【請求項３】
前記受付手段は、前記送信ジョブに設定されている前記宛先を前記アドレス帳に登録するか否かについてのユーザによる指示を、前記画像処理装置の操作部に表示する操作画面を介してユーザから受け付ける、
ことを特徴とする請求項２に記載の画像処理装置。
【請求項４】
前記受付手段は、前記送信ジョブが前記実行手段によって実行されると、前記送信ジョブに設定されている前記宛先を前記アドレス帳に登録するか否かを前記端末装置に問い合わせ、前記宛先を前記アドレス帳に登録するか否かについてのユーザによる指示を、前記端末装置から受信する、
ことを特徴とする請求項２に記載の画像処理装置。
【請求項５】
前記送信ジョブが前記実行手段によって実行されると、前記送信ジョブの設定を前記設定履歴として保存するか否かについての指示を、ユーザから受け付ける受付手段を更に備え、
前記決定手段は、前記受付手段が受け付けた前記指示に応じて、前記送信ジョブの設定を前記設定履歴として保存するか否かを決定する、
ことを特徴とする請求項１に記載の画像処理装置。
【請求項６】
前記受付手段は、前記送信ジョブの設定を前記設定履歴として保存するか否かについての指示を、前記画像処理装置の操作部に表示する操作画面を介して受け付ける、
ことを特徴とする請求項５に記載の画像処理装置。
【請求項７】
前記受付手段は、前記送信ジョブが前記実行手段によって実行されると、前記送信ジョブの設定を前記設定履歴として保存するか否かを前記端末装置に問い合わせ、前記送信ジョブの設定を前記設定履歴として保存するか否かについてのユーザによる指示を、前記端末装置から受信する、
ことを特徴とする請求項５に記載の画像処理装置。
【請求項８】
前記禁止手段は、前記設定履歴として保存された設定のうちで、前記決定手段によって前記設定履歴として保存しないと決定された送信ジョブの設定を削除する、
ことを特徴とする請求項１から７のいずれか１項に記載の画像処理装置。
【請求項９】
端末装置と通信可能な画像処理装置の制御方法であって、
端末装置からジョブを受信して、受信した当該ジョブを実行する実行工程と、
前記実行工程で実行されたジョブの設定を、過去に実行したジョブの設定を再利用してジョブを実行するための設定履歴として保存する保存工程と、
宛先の設定を含み、設定された前記宛先にデータを送信するための送信ジョブが、前記実行工程で実行されると、当該送信ジョブの設定を前記設定履歴として保存するか否かを、ユーザによる指示に応じて決定する決定工程と、
前記決定工程によって前記設定履歴として保存しないと決定された送信ジョブの設定について、前記送信ジョブの設定の保存を禁止する禁止工程と、
を含むことを特徴とする画像処理装置の制御方法。
【請求項１０】
請求項１から８のいずれか１項に記載の画像処理装置の各手段としてコンピュータを機能させるためのプログラム。
【発明の詳細な説明】
【技術分野】
【０００１】
本発明は、画像処理装置及びその制御方法、並びにプログラムに関するものである。
【背景技術】
【０００２】
近年、スマートフォン、タブレットＰＣ等の情報処理装置（端末装置）から、スキャナ、プリンタ等の画像処理装置に対して、画像処理装置において実行すべきジョブを投入する技術が知られている。そのようなジョブには、ファクシミリ（ＦＡＸ）送信、電子メール送信等により外部装置にデータを送信する送信ジョブがある。送信ジョブでは、データの送信先（宛先）の指定は、情報処理装置または画像処理装置が保持するアドレス帳に登録されている情報を用いて行われうる。
【０００３】
また、画像処理装置の機能の１つとして、以前に行った処理の内容を、再度呼び出し可能な設定履歴として保存しておき、保存された設定履歴を呼び出して再度処理を行う機能（以下、「コール機能」と称する。）が知られている。このような機能を有する画像処理装置は、送信ジョブを実行した場合には、送信ジョブで指定された送信先を示す送信先情報を、コール機能用の設定履歴として保存する。しかし、このような送信先情報が、送信ジョブを投入した情報処理装置のユーザとは別のユーザによって利用されることは、セキュリティの観点から望ましくない。
【０００４】
特許文献１では、このようなセキュリティ上の問題に対処するための技術が提案されている。特許文献１には、実行すべき複数の処理の内容を定義したプロセス定義ファイルを実行した場合には、プロセス定義ファイルの内容を、コール機能用の設定履歴として保存しないようにする画像処理装置が記載されている。これにより、あるユーザによって使用されたプロセス定義ファイルが、別のユーザによって使用されることを防止している。
【先行技術文献】
【特許文献】
【０００５】
【特許文献１】特開２０１１−１８２２４２号公報
【発明の概要】
【発明が解決しようとする課題】
【０００６】
しかし、例えば特許文献１に記載の技術によって、送信ジョブの設定（送信先の設定）をコール機能用の設定履歴として保存しないようにする場合、あらゆる送信ジョブの設定がコール機能によって再利用できなくなる。このような場合、ユーザが送信ジョブの設定をコール機能によって再利用することを望んだとしても、設定を再度入力する必要性が生じるため、そのようなユーザにとって利便性が低下することになる。
【０００７】
本発明は、上述の問題に鑑みてなされたものである。本発明は、画像処理装置が送信ジョブを実行した場合に、ユーザによる必要に応じて、送信ジョブの設定をコール機能用の設定履歴として保存するための技術を提供することを目的とする。
【課題を解決するための手段】
【０００８】
本発明は、例えば、画像処理装置として実現できる。本発明の一態様に係る画像処理装置は、端末装置と通信可能な画像処理装置であって、端末装置からジョブを受信して、受信した当該ジョブを実行する実行手段と、前記実行手段によって実行されたジョブの設定を、過去に実行したジョブの設定を再利用してジョブを実行するための設定履歴として保存する保存手段と、宛先の設定を含み、設定された前記宛先にデータを送信するための送信ジョブが、前記実行手段によって実行されると、当該送信ジョブの設定を前記設定履歴として保存するか否かを、ユーザによる指示に応じて決定する決定手段と、前記決定手段によって前記設定履歴として保存しないと決定された送信ジョブの設定について、前記保存手段による保存を禁止する禁止手段と、を備えることを特徴とする。
【発明の効果】
【０００９】
本発明によれば、画像処理装置が送信ジョブを実行した場合に、ユーザによる必要に応じて、送信ジョブの設定をコール機能用の設定履歴として保存することが可能になる。特に、端末装置から受信した送信ジョブに宛先の設定が含まれている場合に、当該宛先をコール機能用の設定履歴として保存するか否かを、ユーザの意図に従って制御できるようになる。
【図面の簡単な説明】
【００１０】
【図１】画像処理システムの構成例を示すブロック図。
【図２】モバイルデバイスの操作画面の例を示す図。
【図３】第１の実施形態に係る、ＭＦＰによって実行される処理の手順を示すフローチャート。
【図４】ＭＦＰまたはモバイルデバイスに表示される操作画面の例を示す図。
【図５】第２の実施形態に係る、モバイルデバイスによって実行される処理の手順を示すフローチャート。
【図６】第２の実施形態に係る、ＭＦＰによって実行される処理の手順を示すフローチャート。
【図７】第３の実施形態に係る、ＭＦＰによって実行される処理の手順を示すフローチャート。
【図８】ＭＦＰまたはモバイルデバイスに表示される操作画面の例を示す図。
【図９】第４の実施形態に係る、モバイルデバイスによって実行される処理の手順を示すフローチャート。
【図１０】第４の実施形態に係る、ＭＦＰによって実行される処理の手順を示すフローチャート。
【発明を実施するための形態】
【００１１】
以下、本発明を実施するための形態について図面を用いて説明する。なお、以下の実施形態は特許請求の範囲に係る発明を限定するものでなく、また実施形態で説明されている特徴の組み合わせの全てが発明の解決手段に必須のものとは限らない。
【００１２】
以下では、画像処理装置の例として、プリント機能、スキャン機能、ＦＡＸ機能等の種々の機能を有する複合機（ＭＦＰ：Multi Function Peripheral）に関する実施形態について説明する。また、情報処理装置の例として、無線通信機能を利用して、スキャン、ＦＡＸ送信、電子メール送信等の種々のジョブをＭＦＰに実行させることが可能な、携帯電話、スマートフォン、タブレットＰＣ等のモバイルデバイス（端末装置）に関する実施形態について説明する。なお、図１及び図２については、第１乃至第４の実施形態で共通である。
【００１３】
＜画像処理システムの構成＞
図１は、画像処理システムの構成例を示すブロック図である。画像処理システム１００は、ＭＦＰ１１０、及びモバイルデバイス１２０で構成される。なお、画像処理システム１００は、任意の数のＭＦＰ、及び任意の数のモバイルデバイスを含みうる。
【００１４】
（ＭＦＰ１１０）
ＭＦＰ１１０は、ＣＰＵ１１、ＲＡＭ１２、ＲＯＭ１３、操作パネル１４、印刷部１５、読取部１６、ファクシミリ（ＦＡＸ）インタフェース（Ｉ／Ｆ）１７、無線ＬＡＮ Ｉ／Ｆ１８、有線ＬＡＮ Ｉ／Ｆ１９、及びストレージ２０を備える。これらのデバイスは、システムバスを介して相互に通信可能である。
【００１５】
ＣＰＵ１１は、ＭＦＰ１１０全体の動作を制御する。ＲＯＭ１３には、ＭＦＰ１１０を制御するための制御プログラムであるファームウェア、種々の設定、初期値等のデータが格納されている。ＲＡＭ１２は、ＣＰＵ１１がＲＯＭ１３から読み出した制御プログラムが格納される作業領域として、またはＣＰＵ１１によってデータが一時的に格納される一時記憶領域として利用される、揮発性の記憶デバイスである。ＣＰＵ１１は、ＲＯＭ１３から読み出した制御プログラムを実行することによって、ＭＦＰ１１０内の各デバイスを制御する。ストレージ２０は、例えば、ハードディスクドライブ（ＨＤＤ）で構成され、ＯＳプログラム、アプリケーションプログラム、画像データ等の種々のデータが格納される、不揮発性の記憶デバイスである。
【００１６】
操作パネル１４（操作部）は、ＭＦＰ１１０の動作状況または設定内容を示す画面、種々のメッセージを示す画面、またはユーザの操作を受け付けるための操作画面等、種々の画面を表示する表示部と、ユーザによる入力操作を受け付けるための入力部とを備える。入力部には、例えば、画像処理の開始を指示するためのＯＫボタン、画像処理のキャンセルを指示するためのキャンセルボタン等の種々のボタン、及び表示部上に配置されるタッチパネルが含まれる。印刷部１５は、画像データに基づいて用紙に画像を印刷する。読取部１６は、原稿の画像を読み取って、当該画像に対応する画像データを生成する。
【００１７】
ＦＡＸ Ｉ／Ｆ１７は、ＭＦＰ１１０が公衆回線を介して外部装置と通信するための通信インタフェースである。ＭＦＰ１１０は、ＦＡＸ Ｉ／Ｆ１７を介して、外部装置から送信されるＦＡＸデータを受信し、また、外部装置にＦＡＸデータを送信する。
【００１８】
無線ＬＡＮ Ｉ／Ｆ１８は、ＩＥＥＥ８０２．１１規格及びそれに準ずる規格に基づいて外部装置と無線通信を行うための通信インタフェースである。有線ＬＡＮ Ｉ／Ｆ１９は、ＩＥＥＥ８０２．３規格及びそれに準ずる規格に基づいて外部装置と有線通信を行うための通信インタフェースである。ＭＦＰ１１０は、無線ＬＡＮ Ｉ／Ｆ１８または有線ＬＡＮ Ｉ／Ｆ１９を介して、外部装置から送信されるデータを受信し、また、外部装置にデータを送信する。
【００１９】
画像処理システム１００では、ＭＦＰ１１０は、無線ＬＡＮ Ｉ／Ｆ１８または有線ＬＡＮ Ｉ／Ｆ１９を介して、モバイルデバイス１２０と通信可能である。例えば、ＭＦＰ１１０は、無線ＬＡＮ Ｉ／Ｆ１８を介してルータまたは無線ＬＡＮアクセスポイント（図示せず）に無線接続を行い、当該ルータまたは無線ＬＡＮアクセスポイントを介して、モバイルデバイス１２０と通信する。あるいは、ＭＦＰ１１０は、無線ＬＡＮ Ｉ／Ｆ１８を介して、例えばＷｉ−Ｆｉ Ｄｉｒｅｃｔ規格に従った無線通信により、モバイルデバイス１２０と直接通信を行ってもよい。また、ＭＦＰ１１０は、有線ＬＡＮ Ｉ／Ｆ１９を介してルータまたは無線ＬＡＮアクセスポイント（図示せず）に有線接続を行い、当該ルータまたは無線ＬＡＮアクセスポイントを介して、モバイルデバイス１２０と通信してもよい。
【００２０】
（モバイルデバイス１２０）
モバイルデバイス１２０は、ＣＰＵ２１、ＲＡＭ２２、ＲＯＭ２３、操作パネル２４、無線ＬＡＮ Ｉ／Ｆ２５、ストレージ２６を備える。これらのデバイスは、システムバスを介して相互に通信可能である。
【００２１】
ＣＰＵ２１は、モバイルデバイス１２０全体の動作を制御する。ＲＯＭ２３には、モバイルデバイス１２０を制御するための制御プログラムであるファームウェア、種々の設定、初期値等のデータが格納されている。ＲＡＭ２２は、ＣＰＵ２１がＲＯＭ２３から読み出した制御プログラムが格納される作業領域として、またはＣＰＵ２１によってデータが一時的に格納される一時記憶領域として利用される、揮発性のメモリである。ＣＰＵ２１は、ＲＯＭ２３から読み出した制御プログラムを実行することによって、モバイルデバイス１２０内の各デバイスを制御する。
【００２２】
操作パネル２４は、表示機能及び入力機能の両方を有するタッチパネル方式の操作パネルである。無線ＬＡＮ Ｉ／Ｆ２５は、ＩＥＥＥ８０２．１１規格及びそれに準ずる規格に基づいて外部装置と無線通信を行うための通信インタフェースである。
【００２３】
画像処理システム１００では、モバイルデバイス１２０は、無線ＬＡＮ Ｉ／Ｆ２５を介して、ＭＦＰ１１０と通信可能である。例えば、モバイルデバイス１２０は、無線ＬＡＮ Ｉ／Ｆ２５を介してルータまたは無線ＬＡＮアクセスポイント（図示せず）に無線接続を行い、当該ルータまたは無線ＬＡＮアクセスポイントを介して、ＭＦＰ１１０と通信する。あるいは、モバイルデバイス１２０は、無線ＬＡＮ Ｉ／Ｆ１８を介して、例えばＷｉ−Ｆｉ Ｄｉｒｅｃｔ規格に従った無線通信により、ＭＦＰ１１０と直接通信を行ってもよい。
【００２４】
ストレージ２６は、ＯＳプログラム、アプリケーションプログラム、画像データ等の種々のデータが格納される、不揮発性の記憶デバイスである。例えば、ストレージ２６には、ネットワーク上のサーバからファイルを取得して閲覧するためのＷｅｂブラウザ、種々のデバイスを制御するためのデバイスドライバ等のプログラムが格納される。また、ストレージ２６に格納されたデータに基づいて、ＭＦＰ１１０に印刷、ＦＡＸ送信、または電子メール送信等の処理を実行させるためのＭＦＰアプリケーション（ＭＦＰアプリ）２７のプログラムも、ストレージ２６に格納されている。なお、ＭＦＰアプリケーション２７は、モバイルデバイス１２０に予めインストールされていてもよいし、所定のサーバからダウンロードされてモバイルデバイス１２０にインストールされてもよい。
【００２５】
ＭＦＰアプリケーション２７は、操作パネル２４に表示する操作画面に対するユーザの操作に従って、ユーザによって選択されたデータに基づく印刷、ＦＡＸ送信、電子メール送信等のジョブを生成する。更に、ＭＦＰアプリケーション２７は、ＭＦＰ１１０との間で通信リンクを確立し、確立した通信リンクを介して、生成したジョブをＭＦＰ１１０に送信することで、ＭＦＰ１１０にジョブを実行させる。
【００２６】
＜モバイルデバイスの操作画面の例＞
図２（Ａ）〜（Ｃ）は、モバイルデバイス１２０において操作パネル２４に表示される、ＭＦＰアプリケーション２７の操作画面の例を示す図である。図２（Ａ）〜（Ｃ）に示す各操作画面の表示は、ＣＰＵ２１がＭＦＰアプリケーション２７のプログラムをストレージ２６から読み出して実行することによって、ＭＦＰアプリケーション２７の機能として実現される。
【００２７】
図２（Ａ）には、ＭＦＰ１１０に実行させる送信ジョブによる送信用の画像を表示する操作画面が示されている。この操作画面において、ユーザが操作キー２０１を押下すると、ＭＦＰアプリケーション２７（ＣＰＵ２１）は、現在表示している画像に対して実行すべき処理を選択するための画面（図示せず）を表示する。例えば、実行すべき処理の候補として、「印刷（プリント）」、「ＦＡＸ送信」及び「電子メール送信」が表示される。ユーザが「ＦＡＸ送信」を選択した場合、ＣＰＵ２１は、操作パネル２４の表示を図２（Ｂ）に示す操作画面に切り替える。
【００２８】
図２（Ｂ）には、ＭＦＰ１１０にＦＡＸ送信を実行させるための設定をユーザが行うための操作画面が示されている。設定欄２１１は、ＦＡＸ送信を実行するＭＦＰを設定（選択）するために用いられる。設定欄２１１をユーザがタッチすると、ＣＰＵ２１は、モバイルデバイス１２０の周辺に存在するＭＦＰを探索し、見つかったＭＦＰを、ユーザによる選択が可能な状態で一覧表示する。ユーザは、一覧表示されたＭＦＰのうちの１つをタッチすることで、ＦＡＸ送信を実行するＭＦＰを選択できる。
【００２９】
設定欄２１２は、ＦＡＺ送信の宛先を示す電話番号（ファックス番号）を設定するために用いられる。設定欄２１２の「＞」の部分をユーザが押下すると、ＣＰＵ２１は、操作パネル２４にソフトキーボードを表示することで、ユーザがキー操作により電話番号を入力できるようにする。なお、ＣＰＵ２１は、モバイルデバイス１２０に保存されている（ストレージ２６に格納されている）アドレス帳を操作パネル２４に表示して、表示されたアドレス帳を用いた電話番号の入力を可能にしてもよい。設定欄２１２には、ユーザによって入力された宛先（電話番号）が表示される。
【００３０】
設定キー２１３は、ＦＡＸ送信用のカバーシートに関する設定を行うために用いられる。設定キー２１３の「＞」の部分をユーザが押下すると、ＣＰＵ２１は、カバーシートに関する設定画面（図２（Ｃ））を表示する。
【００３１】
ＦＡＸ送信キー２１４は、ＭＦＰ１１０に対して、ＦＡＸ送信の実行を指示するために用いられる。ＣＰＵ２１は、ＦＡＸ送信キー２１４が押下されると、設定欄２１１〜２１３に対して設定された内容に基づくＦＡＸ送信ジョブを生成し、ＭＦＰ１１０に送信する。その際、ＣＰＵ２１は、無線ＬＡＮ Ｉ／Ｆ２５を制御して、ＭＦＰ１１０との間に通信リンクを確立し、確立した通信リンクを介して、ＦＡＸ送信ジョブをＭＦＰ１１０に送信する。
【００３２】
図２（Ｃ）は、ＦＡＸ送信用のカバーシートに関する設定をユーザが行うための操作画面が示されている。この操作画面において、設定欄２２１〜２２３は、カバーシートの「ＳＵＢＪＥＣＴ」、「ＦＲＯＭ」及び「ＴＯ」をそれぞれ設定するために用いられる。設定欄２２１の「＞」の部分をユーザが押下すると、ＣＰＵ２１は、テキスト入力画面を表示して、ユーザから「ＳＵＢＪＥＣＴ」の入力を受け付ける。ＣＰＵ２１は、入力された「ＳＵＢＪＥＣＴ」を設定欄２２１に表示する。設定欄２２２，２２３についても同様である。
【００３３】
設定欄２２４は、カバーシートの本文（「ＴＥＸＴ」）を設定するために用いられる。設置欄２２４の「＞」の部分をユーザが押下すると、ＣＰＵ２１は、テキスト入力画面を表示して、ユーザから本文の入力を受け付ける。ＣＰＵ２１は、入力された本文を設定欄２２４に表示する。キー２２５は、操作パネル２４の表示を図２（Ｂ）に示す操作画面に戻すために用いられる。ユーザがキー２２５を押下すると、ＣＰＵ２１は、操作パネル２４の表示を図２（Ｂ）に示す操作画面に切り替えるとともに、図２（Ｃ）に示す操作画面を用いて入力されたカバーシートの設定を確定する。
【００３４】
上述のように、ＭＦＰ１１０は、モバイルデバイス１２０からジョブを受信して、受信したジョブを実行すること、及び当該ジョブの設定を、過去に実行したジョブの設定を再利用してジョブを実行する、コール機能用の設定履歴として保存することができる。以下の各実施形態では、ＭＦＰ１１０がモバイルデバイス１２０から送信ジョブを受信して実行した場合に、ユーザによる必要に応じて、送信ジョブの設定をコール機能用の設定履歴として保存する例について説明する。
【００３５】
具体的には、ＭＦＰ１１０は、宛先の設定を含み、設定された宛先にデータを送信するための送信ジョブを実行すると、当該送信ジョブの設定を、コール機能用の設定履歴として登録（保存）するか否かを、ユーザによる指示に応じて決定する。更に、ＭＦＰ１１０は、コール機能用の設定履歴として保存しないと決定した送信ジョブの設定について、設定履歴として保存することを禁止する。例えば、ＭＦＰ１１０は、コール機能用の設定履歴として保存した設定のうちで、設定履歴として保存しないと決定した送信ジョブの設定を削除する。
【００３６】
［第１の実施形態］
第１の実施形態では、ＭＦＰ１１０（ＣＰＵ１１）は、モバイルデバイス１２０から受信した送信ジョブを実行すると、当該送信ジョブに設定されている宛先を、ＭＦＰ１１０が保持するアドレス帳に登録するかについての指示を、ユーザから受け付ける。本実施形態では、このような受付処理を、操作パネル１４に表示する操作画面を介してユーザから指示を受け付けることによって実現する。更に、ＣＰＵ１１は、宛先をアドレス帳に登録しないことが指示された場合、送信ジョブの設定をコール機能用の設定履歴として保存しないと決定し、登録することが指示された場合、送信ジョブの設定をコール機能用の設定履歴として保存すると決定する。
【００３７】
以下、図３を参照して、ＭＦＰ１１０における具体的な処理手順について説明する。図３は、第１の実施形態に係る、モバイルデバイス１２０から送信ジョブが投入される場合にＭＦＰ１１０によって実行される処理の手順を示すフローチャートである。なお、図３に示す各ステップの処理は、ＣＰＵ１１がＲＯＭ１３またはストレージ２０に格納された制御プログラムを読み出して実行することによって、ＭＦＰ１１０において実現される。
【００３８】
まずＳ１０１で、ＣＰＵ１１は、無線ＬＡＮ Ｉ／Ｆ２５を介して、モバイルデバイス１２０から送信ジョブを受信する。送信ジョブの受信に応じて、Ｓ１０２で、ＣＰＵ１１は、受信した送信ジョブを実行する。本実施形態では、ＦＡＸ送信ジョブを受信した場合について説明する。ＦＡＸ送信ジョブには、宛先（送信先）を示すＦＡＸ番号、送信対象となる画像、カバーシートの設定が含まれる。ＣＰＵ１１は、受信したＦＡＸ送信ジョブに従ったＦＡＸ送信を実行する。
【００３９】
次に、Ｓ１０３で、ＣＰＵ１１は、送信ジョブ（ＦＡＸ送信ジョブ）による送信（ＦＡＸ送信）が成功したか否かを判定する。ＣＰＵ１１は、送信が成功したと判定した場合には、Ｓ１０４に処理を進め、送信が失敗したと判定した場合には、処理を終了する。
【００４０】
Ｓ１０４で、ＣＰＵ１１は、実行した送信ジョブの設定を、コール機能用に登録（保存）する。更に、Ｓ１０５で、ＣＰＵ１１は、送信ジョブの設定に含まれる宛先を、ＭＦＰ１１０が保持するアドレス帳に登録するか否かを選択するための選択画面を、操作パネル１４に表示する。図４は、そのような選択画面の例を示しており、当選択画面において、ユーザは、キー４０１またはキー４０２を押下することで、宛先をアドレス帳に登録する、または登録しないことを選択できる。
【００４１】
次にＳ１０６で、ＣＰＵ１１は、Ｓ１０５で表示した選択画面を用いたユーザによる選択に応じて、送信ジョブの設定に含まれる宛先を、ＭＦＰ１１０が保持するアドレス帳に登録するか否かを判定する。ＣＰＵ１１は、宛先をアドレス帳に登録すると判定した場合には、アドレス帳に宛先を登録して、処理を終了する。一方、ＣＰＵ１１は、宛先をアドレス帳に登録しないと判定した場合には、アドレス帳に宛先を登録せずに、Ｓ１０６で、コール機能用に（Ｓ１０４で）登録した設定を削除して、処理を終了する。
【００４２】
以上説明したように、本実施形態によれば、ＭＦＰ１１０がモバイルデバイス１２０から送信ジョブを受信して実行した場合に、送信ジョブの設定をコール機能用の設定履歴として保存するか否かを、ユーザによる選択に従って決定する。したがって、送信ジョブに含まれる宛先をコール機能用の設定履歴として保存するか否かを、セキュリティ上の問題を生じさせることなく、ユーザの意図に従って制御することが可能である。
【００４３】
［第２の実施形態］
第２の実施形態では、第１の実施形態の変形例として、送信ジョブに設定されている宛先をＭＦＰ１１０においてアドレス帳に登録するか否かについてのユーザによる指示を、モバイルデバイス１２０から受信する例について説明する。具体的には、ＣＰＵ１１は、モバイルデバイス１２０から受信した送信ジョブを実行すると、当該送信ジョブに設定されている宛先をアドレス帳に登録するか否かをモバイルデバイス１２０に問い合わせる。更に、ＣＰＵ１１は、当該宛先をアドレス帳に登録するか否かについてのユーザによる指示を、モバイルデバイス１２０から受信する。なお、以下では、第１の実施形態と共通する部分については説明を省略している。
【００４４】
＜モバイルデバイス１２０における処理＞
図５は、第２の実施形態に係る、モバイルデバイス１２０によって実行される処理の手順を示すフローチャートである。なお、図５に示す各ステップの処理は、ＣＰＵ２１がＲＯＭ２３またはストレージ２６に格納されたプログラムを読み出して実行することによって、モバイルデバイス１２０において実現される。また、本実施形態では、第１の実施形態と同様、送信ジョブとしてＦＡＸ送信ジョブがＭＦＰ１１０で実行される例について説明する。
【００４５】
まずＳ２１１で、ＣＰＵ２１は、ＭＦＰアプリケーション２７の起動がユーザによって指示されると、ストレージ２６に格納されているＭＦＰアプリケーション２７を読み出して実行して、ＭＦＰアプリケーション２７を起動する。なお、以下の各ステップは、ＭＦＰアプリケーション２７の機能として実現される。
【００４６】
次にＳ２１２で、ＣＰＵ２１は、モバイルデバイス１２０の周辺に存在するＭＦＰを探索し、見つかったＭＦＰを、ユーザによる選択が可能な状態で一覧表示する。更にＳ２１３で、ＣＰＵ２１は、図２に示すような操作画面によって、送信ジョブ（ＦＡＸ送信ジョブ）の設定及び実行指示をユーザから受け付けると、ＦＡＸ送信ジョブを生成してＭＦＰ１１０に送信する。
【００４７】
その後、Ｓ２１４で、ＣＰＵ２１は、ＭＦＰ１１０による送信ジョブの実行結果に関する情報をＭＦＰ１１０から受信することで、ＭＦＰ１１０において送信ジョブ（ＦＡＸ送信ジョブ）による送信（ＦＡＸ送信）が成功したか否かを判定する。ＣＰＵ２１は、送信が成功したと判定した場合には、Ｓ２１５に処理を進め、送信が失敗したと判定した場合には、処理を終了する。
【００４８】
Ｓ２１５で、ＣＰＵ２１は、送信ジョブの設定に含まれる宛先を、ＭＦＰ１１０が保持するアドレス帳に登録するか否かを選択するための選択画面を、操作パネル２４に表示する。ＣＰＵ２１は、第１の実施形態と同様、図４に示されるような選択画面を表示し、当選択画面において、ユーザは、キー４０１またはキー４０２を押下することで、宛先をアドレス帳に登録する、または登録しないことを選択できる。
【００４９】
次にＳ２１６で、ＣＰＵ２１は、Ｓ２１５で表示した選択画面を用いたユーザによる選択に応じて、送信ジョブの設定に含まれる宛先を、ＭＦＰ１１０が保持するアドレス帳に登録するか否かを判定する。ＣＰＵ２１は、宛先をアドレス帳に登録すると判定した場合には、Ｓ２１７で、宛先をアドレス帳に登録すべきことを示す宛先登録通知を、ＭＦＰ１１０に送信し、処理を終了する。一方、ＣＰＵ２１は、宛先をアドレス帳に登録しないと判定した場合には、Ｓ２１８で、宛先をアドレス帳に登録すべきではないことを示す宛先不登録通知を、ＭＦＰ１１０に送信し、処理を終了する。
【００５０】
＜ＭＦＰ１１０における処理＞
図６は、第２の実施形態に係る、モバイルデバイス１２０から送信ジョブが投入される場合にＭＦＰ１１０によって実行される処理の手順を示すフローチャートである。なお、図６に示す各ステップの処理は、ＣＰＵ１１がＲＯＭ１３またはストレージ２０に格納された制御プログラムを読み出して実行することによって、ＭＦＰ１１０において実現される。
【００５１】
Ｓ１０１〜Ｓ１０３は、第１の実施形態と同様である。Ｓ１０３で、ＣＰＵ１１は、送信が成功したと判定した場合には、Ｓ１０４に処理を進め、送信が失敗したと判定した場合には、処理をＳ２０１に進める。Ｓ２０１で、ＣＰＵ１１は、送信ジョブによる送信に失敗したことを示す送信失敗通知をモバイルデバイス１２０に送信し、処理を終了する。
【００５２】
一方、Ｓ１０４で、ＣＰＵ１１は、実行した送信ジョブの設定を、コール機能用に登録（保存）し、処理をＳ２０２に進める。Ｓ２０２で、ＣＰＵ１１は、送信ジョブによる送信に成功したことを示す送信成功通知をモバイルデバイス１２０に送信し、処理をＳ２０３に進める。ＣＰＵ１１は、この送信成功通知によって、ＦＡＸ送信ジョブに設定されている宛先をアドレス帳に登録するか否かをモバイルデバイス１２０に問い合わせる。
【００５３】
Ｓ２０３で、ＣＰＵ１１は、送信ジョブに設定された宛先をアドレス帳に登録すべきか否かを示す通知を、モバイルデバイス１２０から受信する。更に、ＣＰＵ１１は、受信した通知に基づいて、送信ジョブの設定に含まれる宛先を、ＭＦＰ１１０が保持するアドレス帳に登録するか否かを判定する。ＣＰＵ１１は、宛先をアドレス帳に登録すると判定した場合には、アドレス帳に宛先を登録して、処理を終了する。一方、ＣＰＵ１１は、宛先をアドレス帳に登録しないと判定した場合には、アドレス帳に宛先を登録せずに、Ｓ２０４で、コール機能用に（Ｓ１０４で）登録した設定を削除して、処理を終了する。
【００５４】
本実施形態によれば、第１の実施形態と同様、送信ジョブに含まれる宛先をコール機能用の設定履歴として保存するか否かを、セキュリティ上の問題を生じさせることなく、ユーザの意図に従って制御することが可能である。
【００５５】
［第３の実施形態］
第１及び第２の実施形態では、送信ジョブに設定された宛先をアドレス帳に登録するか否かに応じて、当該宛先をコール機能用の設定履歴に保存するか否かを制御している。これに対して、第３の実施形態では、送信ジョブの設定をコール機能用の設定履歴として保存するか否かについての指示を、ユーザから受け付ける例について説明する。本実施形態では、このような受付処理を、操作パネル１４に表示する操作画面を介してユーザから指示を受け付けることによって実現する。更に、ＣＰＵ１１は、受け付けた指示に応じて、送信ジョブの設定をコール機能用の設定履歴として保存するか否かを決定する。なお、以下では、第１及び第２の実施形態と共通する部分については説明を省略している。
【００５６】
以下、図７を参照して、ＭＦＰ１１０における具体的な処理手順について説明する。図７は、第３の実施形態に係る、モバイルデバイス１２０から送信ジョブが投入される場合にＭＦＰ１１０によって実行される処理の手順を示すフローチャートである。なお、図７に示す各ステップの処理は、ＣＰＵ１１がＲＯＭ１３またはストレージ２０に格納された制御プログラムを読み出して実行することによって、ＭＦＰ１１０において実現される。
【００５７】
Ｓ１０１〜Ｓ１０６については、第１の実施形態と同様である。ただし、Ｓ１０６で、ＣＰＵ１１は、宛先をアドレス帳に登録すると判定した場合には、Ｓ３０１で、アドレス帳に宛先を登録し、処理をＳ３０２に進め、登録しないと判定した場合には、アドレス帳に宛先を登録せずに処理をＳ３０２に進める。
【００５８】
Ｓ３０２で、ＣＰＵ１１は、送信ジョブの設定に含まれる宛先を、コール機能用の設定理履歴として保存（登録）するか否かを選択するための選択画面を、操作パネル１４に表示する。図８は、そのような選択画面の例を示しており、当選択画面において、ユーザは、キー８０１またはキー８０２を押下することで、宛先をコール機能用の設定履歴として登録する、または登録しないことを選択できる。
【００５９】
次に、Ｓ３０３で、ＣＰＵ１１は、Ｓ３０２で表示した選択画面を用いたユーザによる選択に応じて、送信ジョブの設定に含まれる宛先を、コール機能用の設定履歴として保存（登録）するか否かを判定する。ＣＰＵ１１は、宛先をコール機能用の設定履歴として登録すると判定した場合には、処理を終了し、登録しないと判定した場合には、コール機能用に（Ｓ１０４で）登録した設定を削除して、処理を終了する。
【００６０】
本実施形態によれば、第１及び第２の実施形態と同様、送信ジョブに含まれる宛先をコール機能用の設定履歴として保存するか否かを、セキュリティ上の問題を生じさせることなく、ユーザの意図に従って制御することが可能である。
【００６１】
［第４の実施形態］
第４の実施形態では、第３の実施形態の変形例として、送信ジョブに設定されている宛先をＭＦＰ１１０においてアドレス帳に登録するか否かについてのユーザによる指示を、モバイルデバイス１２０から受信する例について説明する。具体的には、ＣＰＵ１１は、モバイルデバイス１２０から受信した送信ジョブを実行すると、当該送信ジョブに設定されている宛先をコール機能用の設定履歴として保存するか否かをモバイルデバイス１２０に問い合わせる。更に、ＣＰＵ１１は、当該宛先をコール機能用の設定履歴として保存するか否かについてのユーザによる指示を、モバイルデバイス１２０から受信する。なお、以下では、第１乃至第３の実施形態と共通する部分については説明を省略している。
【００６２】
＜モバイルデバイス１２０における処理＞
図９は、第４の実施形態に係る、モバイルデバイス１２０によって実行される処理の手順を示すフローチャートである。なお、図９に示す各ステップの処理は、ＣＰＵ２１がＲＯＭ２３またはストレージ２６に格納されたプログラムを読み出して実行することによって、モバイルデバイス１２０において実現される。また、本実施形態では、第１の実施形態と同様、送信ジョブとしてＦＡＸ送信ジョブがＭＦＰ１１０で実行される例について説明する。
【００６３】
Ｓ２１１〜Ｓ２１８については、第２の実施形態と同様である。Ｓ２１７またはＳ２１８の処理の後、ＣＰＵ２１は、次にＳ４１１で、図８に示されるような選択画面を表示し、当選択画面において、ユーザは、キー８０１またはキー８０２を押下することで、送信ジョブに設定された宛先をコール機能用の設定履歴として登録する、または登録しないことを選択できる。
【００６４】
次に、Ｓ４１２で、ＣＰＵ２１は、ＣＰＵ２１は、Ｓ４１１で表示した選択画面を用いたユーザによる選択に応じて、送信ジョブの設定に含まれる宛先を、ＭＦＰ１１０においてコール機能用の設定履歴として登録するか否かを判定する。ＣＰＵ２１は、宛先を登録すると判定した場合には、Ｓ４１３で、宛先をコール機能用の設定履歴として登録すべきことを示すコール登録通知を、ＭＦＰ１１０に送信し、処理を終了する。一方、ＣＰＵ２１は、宛先を登録しないと判定した場合には、Ｓ４１４で、宛先をコール機能用の設定履歴として登録すべきではないことを示すコール不登録通知を、ＭＦＰ１１０に送信し、処理を終了する。
【００６５】
＜ＭＦＰ１１０における処理＞
図１０は、第４の実施形態に係る、モバイルデバイス１２０から送信ジョブが投入される場合にＭＦＰ１１０によって実行される処理の手順を示すフローチャートである。なお、図１０に示す各ステップの処理は、ＣＰＵ１１がＲＯＭ１３またはストレージ２０に格納された制御プログラムを読み出して実行することによって、ＭＦＰ１１０において実現される。
【００６６】
Ｓ１０１〜Ｓ１０４，Ｓ２０１〜Ｓ２０３については、第２の実施形態と同様である。Ｓ２０３で、ＣＰＵ１１は、宛先をアドレス帳に登録すると判定した場合には、Ｓ４０１で、アドレス帳に宛先を登録して、処理をＳ４０２に進める一方、登録しないと判定した場合には、アドレス帳に宛先を登録せずに、処理をＳ４０２に進める。
【００６７】
Ｓ４０２で、ＣＰＵ１１は、モバイルデバイス１２０から送信されるコール不登録通知またはコール登録通知に応じて、送信ジョブに設定されている宛先をコール機能用の設定履歴として登録すべきか否かを判定する。更に、ＣＰＵ１１は、宛先を設定履歴に登録しないと判定した場合には、Ｓ４０３で、コール機能用に（Ｓ１０４で）登録した設定を削除して、処理を終了する。
【００６８】
本実施形態によれば、第１乃至第３の実施形態と同様、送信ジョブに含まれる宛先をコール機能用の設定履歴として保存するか否かを、セキュリティ上の問題を生じさせることなく、ユーザの意図に従って制御することが可能である。
【００６９】
［その他の実施形態］
上述の各実施形態では、モバイルデバイス１２０からＭＦＰ１１０にＦＡＸ送信ジョブを実行させる例について説明している。しかし、上述の各実施形態は、ＦＡＸ送信ジョブに限らず、電子メール送信ジョブ等の送信ジョブをＭＦＰ１１０が実行する場合にも、同様に適用できる。
【００７０】
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００７１】
１００：画像処理システム、１１０：ＭＦＰ、１２０：モバイルデバイス、
１１，２１：ＣＰＵ、１８，２５：無線ＬＡＮ Ｉ／Ｆ、１９：有線ＬＡＮ Ｉ／Ｆ、
１４，２４：操作パネル
【図１】
2016167764.tif 000003
【図２】
2016167764.tif 000004
【図３】
2016167764.tif 000005
【図４】
2016167764.tif 000006
【図５】
2016167764.tif 000007
【図６】
2016167764.tif 000008
【図７】
2016167764.tif 000009
【図８】
2016167764.tif 000010
【図９】
2016167764.tif 000011
【図１０】
2016167764.tif 000012